(57)【特許請求の範囲】
【請求項１】
中空鋼管から所定高さの基体を切り出す工程と、該基体の周壁の一部を切断幅Ｍとして該基体の上端から下端までを切断して切断部を形成する工程と、該切断部における周壁端部相互を当接若しくは近接した状態で変形保持させる工程と、鋼管の内側から溶接により周壁端部相互を連結固定する工程とを有し、前記いずれかの工程若しくはその後に、高さ方向略中央位置となる全周に亘って、側面視において上端及び下端と平行する水準線を形成することを特徴とする鋼管杭用接続体の製造方法。
【請求項２】
直径寸法がＤ、厚さ寸法がｔである中空鋼管からなる鋼管杭に使用する鋼管杭用接続体の製造方法であり、基体の切断部を形成する工程における切断幅寸法Ｍを略２πｔとすることで、鋼管杭用接続体の最大外径寸法が略Ｄ−２ｔとすることを特徴とする請求項１記載の鋼管杭用接続体の製造方法。
【請求項３】
請求項１又は２記載の鋼管杭用接続体の製造方法によって製造された鋼管杭用接続体を用いて中空鋼管相互を接続する中空鋼管の接続方法であって、第一の中空鋼管の上端に対して、当該鋼管杭用接続体の下端側を嵌入し、鋼管杭用接続体の水準線を前記中空鋼管の上端に沿わせて鉛直とした状態で、前記中空鋼管の内面と鋼管杭用接続体の内面との境界を溶接し、第二の中空鋼管を前記鋼管杭用接続体の上端側から被せ、第一の中空鋼管の上端と第二の中空鋼管の下端とを当接し、前記第一の中空鋼管の外周面上端と第二の中空鋼管の外周面下端との境界を全周に亘って溶接することを特徴とする、鋼管杭用接続体を用いた中空鋼管の接続方法。
【発明の詳細な説明】
【技術分野】
【０００１】
本発明は、主として建築物の基礎を形成するために用いられる鋼管杭に使用され、分割された複数の中空鋼管を接続して一本の鋼管杭を形成するための鋼管杭用接続体の製造方法、及びその鋼管杭用接続体を用いた中空鋼管の接続方法に関する。
【背景技術】
【０００２】
鋼管杭は、通常、２本若しくは３本程度の中空鋼管に分割され、鋼管杭の先端となる下端側が杭状の鋼管（以下、第一鋼管）を地中へ回転させながら埋設し、該第一鋼管の上端が地上に表れている状態で、分割された次の鋼管（以下、第二鋼管）の下端を前記第一鋼管の上端と接続する。また、第三鋼管が存在する場合には、第二鋼管までを埋設し、第二鋼管の上端が地上に表れている状態で、同様に第三鋼管の下端を第二鋼管の上端と接続する。この分割された中空鋼管の接続（即ち、第一鋼管と第二鋼管の接続、第二鋼管と第三鋼管の接続等）に、鋼管杭用接続体を用いる。
【０００３】
上記鋼管杭用接続体は、鋼管杭の軸を中心とする回転の精度を保つ必要があり、確実な接続を維持しなければならないことから、構造が複雑化しやすく、高価となりやすい。
一方、分割された各鋼管は、中空であることから、作業中に鋼管杭用接続体やその付属品を鋼管内へ誤って落下させやすい。また、一旦落下させると鋼管から取り出すことは至難であり、作業中のミスにより、費用の損失が生じやすい欠点がある。
【０００４】
中空鋼管内への落下を防止でき、比較的簡素な構造を備えた鋼管杭用接続体としては、例えば、側壁に１本の帯状の切れ目を設けた断面Ｃ字状の環であって、地面に打ち込まれたパイプ状の第一の杭の上端部内面に溶接される下半部と、前記第一の杭の上端部に下端部を接続される第二の杭の内面に溶接される上半部とを有し、前記下半部は前記第一の杭の内壁に弾力によりその外面を密着させる均一な外径のＣ字状の側壁を有し、前記上半部には、少なくとも最上端近傍に前記側壁の外径を最上端に向かって次第に縮小するテーパ部を有することを特徴とする鋼管杭用接続体（例えば、特許文献１参照。）が公知である。
【０００５】
また、他の鋼管杭用接続体としては、例えば、下鋼管杭と上鋼管杭を突き合わせて溶接する際の裏当てに用いられ、前記上下鋼管杭の内面に外周面が外接される円筒体を備え、前記円筒体は該円筒体の外周面から径外側に向かって突出して前記上下鋼管杭の間に開先を形成する突起部を備えていることを特徴とする鋼管杭用接続体（例えば、特許文献２参照。）が公知である。
【先行技術文献】
【特許文献】
【０００６】
【特許文献１】登録実用新案第３１５８５７３号公報
【特許文献２】特開２００９−２０３７３０号公報
【発明の概要】
【発明が解決しようとする課題】
【０００７】
上記特許文献１に係る鋼管杭用接続体は、形状が簡素であるものの、例えば第一鋼管の上端に嵌入する際には、弾力に抗して縮径状態を保ちながら行わなければならない点で負担を伴い、作業性に問題があった。
また、弾力に抗して縮径状態を保ちながら嵌入すると、切れ目によって形成された側壁の突合せ部分の両端が正確に当接せず、当該対向する突合せ部分が上下にずれる虞がある。
このようなずれが発生した場合には、第二鋼管を当該鋼管杭用接続体に対して取付けることが困難となり、仮に取付けができたとしても、鋼管杭の軸を中心とする回転の精度を保持できない結果を生じる点で問題がある。
【０００８】
次に、上記特許文献２に係る鋼管杭用接続体は、中空鋼管内への落下を防止でき、比較的単調な形状を有するものである。しかしながら、当該鋼管杭用接続体を形成する素管の外径が鋼管の内径より小さい素管を、その外径が第一鋼管の内径と等しくなるまでリロール成形により拡管を行って、その後、得られた円筒体に対してプレス加工によって突起部を形成する必要がある。また、別法として、水平方向に沿って切り込みを平行に形成し、これらの切り込みの間を径外側に向かって湾曲（突出）させて切り起こし突起を形成する方法があるが、当該方法によってもプレス加工等が必要となる。従って製作には相当の費用を要し、結果として、安価で使い勝手のよい鋼管杭用接続体を得るには至っていない。また、このような加工をプレス加工によらず、手加工で行うとすると、精度を保持することが困難であるとともに多大な労力を伴う。
【０００９】
本発明は以上の事情に鑑みてなされたものであり、作業中に中空鋼管内へ誤って落下させず、鋼管杭の軸を中心とする回転の精度を保持することができ、安価で、生産性、作業性に優れた鋼管杭用接続体の製造方法、及び前記鋼管杭用接続体を用いた鋼管の接続方法の提供を、発明が解決しようとする課題とする。
【課題を解決するための手段】
【００１０】
また、本発明は、中空鋼管から所定高さの基体を切り出す工程と、該基体の周壁の一部を所定の切断幅でその上端から下端までを切断して切断部を形成する工程と、該切断部における周壁端部相互を当接若しくは近接した状態で変形保持させる工程と、鋼管の内側から溶接により周壁端部相互を連結固定する工程とを有し、前記いずれかの工程若しくはその後に、高さ方向略中央位置となる全周に亘って、側面視において上端及び下端と平行する水準線を形成することを特徴とする鋼管杭用接続体の製造方法を、課題を解決するための手段とする。
【００１１】
更に、本発明は、上記製造方法によって製造される鋼管杭用接続体を用いた中空鋼管相互の接続方法であって、鋼管杭を構成する第一の中空鋼管の上端に対して、当該鋼管杭用接続体の下端側を嵌入し、鋼管杭用接続体の水準線を前記中空鋼管の上端に平行に位置決めして鉛直とした状態で、前記中空鋼管の内面と鋼管杭用接続体の内面との境界を溶接し、鋼管杭を構成する第二の中空鋼管を前記鋼管杭用接続体の上端側から被せ、第一の中空鋼管の上端と第二の中空鋼管の下端とを当接し、前記第一の中空鋼管の外周面上端と第二の中空鋼管の外周面下端との境界を全周に亘って溶接することを特徴とする、中空鋼管の接続方法を、課題を解決するための手段とする。尚、上記第一の中空鋼管と第二の中空鋼管は、鋼管杭を構成する先端の鋼管とそれに接続される鋼管のみを示すものではなく、鋼管杭を構成するために接続される任意の二本の中空鋼管を示す意図である。
【発明の効果】
【００１２】
請求項１に係る鋼管杭用接続体の製造方法によれば、中空鋼管から所定高さの基体を切り出す工程と、該基体の周壁の一部を所定切断幅寸法でその上端から下端までを切断して切断部を形成する工程と、該切断部における周壁端部相互を当接若しくは近接した状態で変形保持させる工程と、鋼管の内側から溶接により周壁端部相互を連結固定する工程とを有し、前記いずれかの工程若しくはその後に、高さ方向略中央位置となる全周に亘って、側面視において上端及び下端と平行する水準線を形成することにより、プレス加工を行うこともなく本発明に係る鋼管杭用接続体を製造できるので、生産性を高め、安価に、且つ速やかに、当該鋼管杭用接続体を作業現場に供給でき、速やかな工事の施工に資することができる。
【００１３】
請求項２に係る鋼管杭用接続体の製造方法によれば、上記請求項１に係る製造方法において、直径寸法がＤ、厚さ寸法がｔで表される中空鋼管からなる鋼管杭に使用するものとして、基体の周壁の一部を所定切断幅寸法でその上端から下端までを切断して切断部を形成する工程中、切断幅寸法をＭとし、Ｍが略２πｔとすることで、特に、製造される鋼管杭用接続体の最大外径寸法を略Ｄ−２ｔとすることにより、請求項２に係る鋼管杭用接続体を製造することができ、その生産性を高め、安価に、且つ速やかに、請求項２に係る鋼管杭用接続体を作業現場に供給でき、速やかな工事の施工に資することができる。
【００１４】
請求項３に係る鋼管杭用接続体を用いた中空鋼管の接続方法によれば、上記請求項１又は２記載の鋼管杭用接続体の製造方法によって製造された鋼管杭用接続体を用いることで、作業中に中空鋼管内へ誤って落下しないものとすることができる。
【００１５】
また、第一の中空鋼管の上端に対して、当該鋼管杭用接続体の下端側を嵌入し、鋼管杭用接続体の水準線を前記中空鋼管の上端に沿わせて鉛直とした状態で、前記中空鋼管の内面と鋼管杭用接続体の内面との境界を溶接することから、第一の中空鋼管と鋼管杭用接続体とによって鋼管杭の軸を中心とする回転の精度を保持することができる。
【００１６】
更に、第二の中空鋼管を前記鋼管杭用接続体の上端側から被せ、第一の中空鋼管の上端と第二の中空鋼管の下端とを当接し、前記第一の中空鋼管の外周面上端と第二の中空鋼管の外周面下端との境界を全周に亘って溶接することで、第一の中空鋼管と第二の中空鋼管の軸の中心を一致させて鋼管杭の軸を中心とする回転の精度を保持することができる。
そして、前記中空鋼管の内面と鋼管杭用接続体の内面との境界を溶接すること、及び、第一の中空鋼管の上端と第二の中空鋼管の下端とを当接し、前記第一の中空鋼管の外周面上端と第二の中空鋼管の外周面下端との境界を全周に亘って溶接するため、十分な接続強度を備えるとともに、施工が容易に行える利点を有する。
【００１７】
尚、請求項１に係る製造方法によって製造された鋼管杭用接続体によれば、基体の最大外径寸法が、設置対象となる鋼管杭における鋼管の内径寸法と略同一であるから、作業中に鋼管杭用接続体を中空鋼管内へ落下させる虞がない。また、周壁内面側に前記周壁相互を連結固定する基体溶着部を備えた構成としたことで、基体溶着部は当該鋼管杭用接続体の外面側には突出せず、更に、基体の外周面に周方向へ連続する水準線を備えたことにより設置に際して鋼管杭の鉛直を保持できるため、鋼管杭の軸を中心とする回転の精度を保持することができる。
【００１８】
尚、請求項２に係る製造方法によって製造された鋼管杭用接続体によれば、直径寸法がＤ、厚さ寸法がｔで表される中空鋼管からなる鋼管杭に対して鋼管杭用接続体を使用するにあたり、最大外径寸法を略Ｄ−２ｔとすることにより、設置対象の鋼管杭と同サイズの中空鋼管を用いて上記請求項１に係る発明を実現することができる。このため、前記請求項１に係る発明の効果が得られることに加え、同一鋼管杭の廃材等で簡単に最適な最大外径寸法を有する鋼管杭用接続体を適用でき、安価に、且つ速やかに、当該鋼管杭用接続体を作業現場に供給でき、速やかな工事の施工に資することができる。
【図面の簡単な説明】
【００１９】
【図１】本発明の実施例に係る鋼管杭用接続体の製造方法によって製造された鋼管杭用接続体の（ａ）正面側斜視図、（ｂ）背面側斜視図。
【図２】本発明の実施例に係る鋼管杭用接続体の製造方法によって製造された鋼管杭用接続体と第一鋼管との関係を示す平面図。
【図３】本発明の実施例に係る鋼管杭用接続体の製造方法に用いる工具の使用状態を示すものであり、（ａ）基体を設置した状態、（ｂ）基体を変形させた状態、（ｃ）基体溶着部を形成した状態を示す一部断面説明図。
【図４】本発明の実施例に係る鋼管杭用接続体の製造方法によって製造された鋼管杭用接続体と第一鋼管との関係を示す斜視図。
【図５】本発明の実施例に係る鋼管杭用接続体の製造方法によって製造された鋼管杭用接続体を（ａ）第一鋼管に嵌入した状態を示す斜視図、（ｂ）第一鋼管に嵌入した後第一鋼管内で相互を溶着した状態を示す斜視図。
【図６】本発明の実施例に係る鋼管杭用接続体の製造方法によって製造された鋼管杭用接続体と第一鋼管及び第二鋼管との関係を示す斜視図。
【図７】本発明の実施例に係る鋼管杭用接続体の製造方法によって製造された鋼管杭用接続体を介して第一鋼管と第二鋼管を連結した状態を示す斜視図、（ｂ）第一鋼管と第二鋼管とを溶接した構成とした状態を示す斜視図。
【発明を実施するための形態】
【００２０】
本発明は、中空鋼管から所定高さの基体を切り出す工程と、該基体の周壁の一部を所定の切断幅でその上端から下端までを切断して切断部を形成する工程と、該切断部における周壁端部相互を当接若しくは近接した状態で変形保持させる工程と、鋼管の内側から溶接により周壁端部相互を連結固定する工程とを有し、前記いずれかの工程若しくはその後に、高さ方向略中央位置となる全周に亘って、側面視において上端及び下端と平行する水準線を形成することで、基体の最大外径寸法が、設置対象となる鋼管杭における鋼管の内径寸法と略同一であるから、作業中に鋼管杭用接続体を中空鋼管内へ落下させる虞がなく、また、周壁内面側に前記周壁相互を連結固定する基体溶着部を備えた構成としたことで、基体溶着部は当該鋼管杭用接続体の外面側には突出せず、更に、基体の外周面に周方向へ連続する水準線を備えたことにより設置に際して鋼管杭の鉛直を保持できるため、鋼管杭の軸を中心とする回転の精度を保持することができ、更に、直径寸法がＤ、厚さ寸法がｔで表される中空鋼管からなる鋼管杭に使用するものとして、基体の周壁の一部を所定切断幅寸法でその上端から下端までを切断して切断部を形成する工程中、切断幅寸法をＭとし、Ｍが略２πｔとすることで、特に、製造される鋼管杭用接続体の最大外径寸法を略Ｄ−２ｔとすることにより、請求項２に係る鋼管杭用接続体を製造することができ、その生産性を高め、安価に、且つ速やかに、請求項２に係る鋼管杭用接続体を作業現場に供給でき、速やかな工事の施工に資することができる鋼管杭用接続体の製造方法を実現した。
【実施例】
【００２１】
本実施例に係る鋼管杭用接続体１の製造方法について説明する。
本実施例に係る鋼管杭用接続体１の製造方法は、鋼管杭と外径寸法及び厚さ寸法が共通する中空鋼管を切り出して、鋼管杭用接続体１として形成するものである。このようにすることで、作業現場において廃材となる同サイズの中空鋼管を流用して、プレス加工を行うこともなく、安定した品質の鋼管杭用接続体１を、安価且つ迅速に製造できるので、コストの低廉化、製造時間や作業時間の短縮、信頼性の向上の点において非常に大きな利益がある。
【００２２】
上記鋼管杭用接続体１は、直径寸法（本発明における直径寸法のＤに相当する。）が１４０ｍｍ、厚さ寸法（本発明における厚さ寸法のｔに相当する。）が４ｍｍの中空鋼管を長さ（高さ）５２ｍｍ程度となるように切り出してこれを基体１ａとする。次に、当該基体１ａの周壁の一部を切断幅約２５ｍｍ程度として上端１７から下端１８までを切断して切断部１６を形成する。
尚、鋼管杭（第一鋼管２等）と外径寸法及び厚さ寸法が共通する中空鋼管を鋼管杭用接続体１とするためには、鋼管杭の内側半径に対して、鋼管杭用接続体１の外側半径が嵌め合い公差を有して略同寸法となることが最適である。図２に示すように、鋼管杭の外側半径をＲとし、鋼管杭の厚みをｔ、切断部１６を形成するための切断幅寸法をＭとすると、その内周寸法は２π×（Ｒ−ｔ）（πは円周率）となり、これが鋼管杭用接続体１の外周寸法（２π×Ｒ−Ｍ）と略等しくなればよいので、前記切断幅寸法Ｍは、概ね２πｔ程度とすることが考えられる。
【００２３】
そして、前記切断部１６における周壁端部１３相互を当接若しくは近接した状態で変形保持させ、鋼管の内側から溶接により基体溶着部１５を形成し、周壁端部１３相互を連結固定する。尚、切断幅寸法が実質的に大きく形成された場合には、周壁端部１３相互を当接させずに、近接位置でその距離を調節し、溶接手段により基体溶着部１５を形成し、周壁端部１３相互を連結固定することができる。
【００２４】
周壁端部１３相互の近接距離を調節して周壁端部１３相互を連結固定する際には、図３（ａ）から（ｃ）に示すように、中空鋼管である基体１ａを変形して外周寸法を低減させるための工具Ｐを利用する。
【００２５】
本実施例に係る鋼管杭用接続体１を形成するために用いた工具Ｐは、内部に基体１ａを収納するための収納空間ｐ９を有する筐体ｐ３と、該筐体ｐ３の上部に、基体１ａを変形させるためのハンドルｐ１を備える。ハンドルｐ１の中央部に略Ｔ字輪郭をなすように垂下される押込み軸ｐ２が連結され、該押込み軸ｐ２の下端部には断面視概ね基体１ａの周面に沿う湾曲形状となる押込み板ｐ４が配置される。また、前記押込み軸ｐ２には雄螺子が螺刻されている。
【００２６】
一方で、筐体ｐ３の上面中央には、前記押込み軸ｐ２を支承する軸受部ｐ７を備えている。軸受け部には前記押込み軸ｐ２に形成された雄螺子に対応する雌螺子が形成されている。筐体ｐ３の底面及び側面に沿って、変形させるサイズに応じて前記基体１ａを案内する調節枠ｐ５が設けられる。
調節枠ｐ５は、内底面ｐ５０とその両端から垂直に起立し相互に対向する内側壁ｐ５１を備えた構成であり、対抗する内側壁ｐ５１間の距離Ｗは、変形前の基体１ａの外径寸法であるＤ（即ち、半径寸法Ｒ×２）よりも短い寸法に設定されている。
【００２７】
変形前の基体１ａを、図３（ａ）に示すように、工具Ｐの前方若しくは後方から筐体ｐ３の収納空間ｐ９内に挿入し、調節枠ｐ５上で押込み板４の下となる位置に設置する。そして、図３（ｂ）に示すように、基体１ａは、変形操作は、ハンドルｐ１を手動で回転させることにより、ハンドルｐ１から押込み軸ｐ２を介して連動する押込み板ｐ４が前記収納空間ｐ９内の基体１ａをその上方から下方へ押圧して、基体１ａを変形させ、該基体１ａの対向する周壁端部１３間を近接若しくは当接させる。このように基体１ａを変形した状態とした上に、溶接手段である図示されない溶接機によって、図３（ｃ）に示すように、近接若しくは当接した周壁端部１３相互を溶接して、基体溶着部１５を形成する。
【００２８】
周壁端部１３相互が当接した場合には、切断部１６は消失することとなる。その一方で、例えば、本実施例でも示しているように、近接する周壁端部１３間に切断部１６が残存した場合であっても、基体溶着部１５によって周壁端部１３相互が連結固定されているので、何ら問題は生じない。
【００２９】
基体１ａを工具Ｐから取り出した後、基体１ａの周壁外面１２に対して、周壁外面１２の高さ方向中央位置を周方向に向けて溝を切削し、その後、切削形成された溝内へ速乾性の耐水性塗料を塗布し、自然乾燥させる。
尚、当該水準線１４の形成は、材料となる中空鋼管から基体１ａを切り出す前に予め行うこともできる。
【００３０】
そして、本発明の実施例に係る鋼管杭用接続体の製造法によって製造された鋼管杭用接続体１は、図１（ａ）正面側斜視図及び（ｂ）背面側斜視図に示すように、最大直径が１３２ｍｍ程度（本発明における中空鋼管の直径寸法がＤ、厚さがｔとした場合の略Ｄ−２ｔに相当する。）、厚さ４ｍｍの金属製略円筒体であり、基体１ａの周壁の一部に、上端１７から下端１８に至り周壁端部１３相互が近接し、周壁内面１１側に設けた基体溶着部１５により前記周壁端部１３相互が連結固定された構成を有する。ここで、前記基体溶着部１５は当該鋼管杭用接続体１の周壁外面１２側から突出しない構成としている。
【００３１】
そして、基体１ａの周壁外面１２には、高さ方向中央位置となる全周に、側面視において上端１７及び下端１８と平行する水準線１４を備える。
水準線１４は、周壁外面１２の高さ方向中央を周方向に向けて全周に亘って溝状となるラインを形成し、当該ラインに耐水性塗料を塗布した構成としている。
【００３２】
尚、本実施例における鋼管杭用接続体１は、切断部２０における周壁端部１３相互を近接した状態で変形保持して鋼管の内側から溶接により周壁端部１３相互を連結固定してなる基本構成であるため、平面視は概ねＣ字若しくはＯ字であるが、厳密には完全な正円形ではなく、目視では確認し難い程度に、微かに楕円に近似した形状となる。
【００３３】
次に、本発明の実施例に係る鋼管杭用接続体の製造方法によって製造された鋼管杭用接続体１を用いた、鋼管杭の接続方法について説明する。先ず、図４に示すように、地中に埋設され上端が地上に露出した第一鋼管２の上端２０に対して、本実施例に係る鋼管杭用接続体１をその下端１８側から嵌入する。そして、図５（ａ）に示すように、概ね当該鋼管杭用接続体１の高さの半分程度で水準線１４が外部に露呈する状態まで嵌め込んだ状態とする。この状態においては、本実施例に係る鋼管杭用接続体１は、平面視は概ねＣ字若しくはＯ字であるが、厳密には完全な正円形ではなく、目視では確認し難い程度に、微かに楕円に近似した形状となるため、最大直径を有する部分の直径ラインを基準として左右に若干揺動するがたつきを生じる。
【００３４】
このため、水準線１４を第一鋼管２の上端２０に平行となるように位置決めする操作を行う。この位置決めした状態で、鋼管杭用接続体１の鉛直及びは水平が確保される。そして当該状態を保持しながら、図５（ｂ）に示すように、第一鋼管２の内面と鋼管杭用接続体１の内面との境界を溶接し、当該第一鋼管２と鋼管杭用接続体１とを溶着部４により固定する。当該溶接は内周全周に亘って行う必要はなく、２、３箇所から数箇所程度のポイントにスポット溶接する程度でよい。
【００３５】
次に、図６に示すように、第二鋼管３を前記鋼管杭用接続体１の上端側から被せ、図７（ａ）に示すように、第一鋼管２の上端２０と第二鋼管３の下端３０とを当接する。
その後、図７（ｂ）に示すように、第一鋼管２の外周面上端部と第二鋼管３の外周面下端部との境界を全周に亘って溶接し、周縁溶着部５を形成する。
【００３６】
以上によって、本実施例に係る鋼管杭用接続体１を用いて第一鋼管２及び第二鋼管３を鉛直に接続することができる。更に接続する第三鋼管がある場合には、第二鋼管３及び第三鋼管において、同様の接続方法を用いることができる。
【００３７】
上記実施例においては、鋼管杭と同一の外径寸法及び厚さ寸法を有する中空鋼管から基体１ａを切り出して用いるものを例としたが、本発明はこれに限るものではなく、例えば、鋼管杭と異なる外径寸法及び異なる厚さ寸法の中空鋼管を利用することもできるし、外径寸法及び厚さ寸法のいずれか鋼管杭と同一である中空鋼管を利用することもできる。
しかしなら、上記実施例のように、鋼管杭と同一の外径寸法及び厚さ寸法の中空鋼管から基体１ａを切り出して用いるものとする場合には、作業現場で鋼管杭用接続体１を鋼管杭の余剰片等から流用することが容易となり、またその際の切断幅寸法の調節もより容易であることから、利用価値を非常に高めることができる。
【００３８】
また、本発明における水準線１４は、実施例に開示したものに限らず、周壁外面１２から大きく突出しないものである限り、種々の形態のものとすることができる。例えば、周方向全周に亘る線のみならず、破線等の連続する線の一部が破断されたものや、点状の印を周方向同一仮想線上に複数設けたものでもよい。また、切削のみにより形成されるものや、塗料や、接着層を有するテープのみで形成されるものでもよい。塗料やテープ等は特に限定するものではなく、例えば、蓄光塗料等を含有するものでもよい。
【符号の説明】
【００３９】
１      鋼管杭用接続体
１ａ    基体
１１    周壁内面
１２    周壁外面
１３    周壁端部
１４    水準線
１５    基体溶着部
１６    切断部
１７    上端
１８    下端
２      鋼管（第一鋼管）
２０    上端（第一鋼管
３      鋼管（第二鋼管）
３０    下端（第二鋼管）
４      溶着部
５      周縁溶着部
Ｐ      工具
ｐ１    ハンドル
ｐ２    押込み軸
ｐ３    筐体
ｐ４    押込み板
ｐ５    調節枠
ｐ５０  内底面
ｐ５１  内側壁
ｐ７    軸受部
ｐ９    収納空間
Ｗ      距離
【図１】
0005608183.tif 000002
【図２】
0005608183.tif 000003
【図３】
0005608183.tif 000004
【図４】
0005608183.tif 000005
【図５】
0005608183.tif 000006
【図６】
0005608183.tif 000007
【図７】
0005608183.tif 000008